(57)【特許請求の範囲】
【請求項１】
下記の諸成分を配合してなる混合石灰肥料（％は重量）
１）ドロマイトまたは石灰石：
ドロマイトの場合は２０〜４０％、石灰石の場合は３０〜５０％、
２）水酸化マグネシウム：１０〜４０％、および
３）カキガラ：１０〜６０％。
【請求項２】
下記の諸成分を配合してなる混合石灰肥料（％は重量）
１）ドロマイトまたは石灰石：
ドロマイトの場合は２０〜４０％、石灰石の場合は３０〜５０％、
２）水酸化マグネシウム：１０〜４０％、
３）カキガラ：１０〜４０％、および
４）腐植酸：５〜４５％。
【請求項３】
各原料を粉砕して混合し、圧片成形法または転動造粒法により成形し、粒径を０．５〜１０mmの範囲に揃えてなる、飛散しにくく扱いやすい請求項1または２の混合石灰肥料。
【請求項４】
バインダーとして、イースト菌発酵廃液、アミノ酸発酵廃液、パルプ廃液、カラメル製造廃液、乳酸発酵廃液、アルコール発酵廃液、または化工でんぷんの水溶液もしくは水分散液から選んだ１種または２種以上を原料混合物に適量添加し、転動造粒法により造粒してなる請求項３の混合石灰肥料。
【発明の詳細な説明】
【０００１】
【産業上の利用分野】
本発明は、石灰混合肥料、すなわち石灰を主剤とし、これに水酸化マグネシウムおよびカキガラを配合し、場合によりさらに腐植酸を添加してなる肥料に関する。本発明はまた、上記諸成分を一粒に造粒した、飛散しにくく取り扱いやすい形態の混合石灰肥料に関する。
【０００２】
【従来の技術】
作物、たとえば種々の野菜の作付け前に、土壌のｐＨを矯正することと石灰を補給することを目的として「石灰質肥料」が使用されている。その材料は、生石灰、消石灰、炭酸カルシウム、貝化石などであり、この種の肥料は、単独で施肥されることが多い。
【０００３】
土壌改良剤としては、水酸化マグネシウムも用いられている。これは肥料取締法にいう「苦土質肥料」に該当し、苦土成分がもっとも高いものである。肥料といっても、実際の施用は苦土補給のみを目的とするもので、苦土の欠乏が生じやすい土壌に用いるだけである。
【０００４】
腐植酸は、土壌改良資材として、有機物の補給、ＣＥＣ、保水性の増大および土壌微生物の活性化など、土壌物理・化学・生物性の改善を目的に、しばしば施用されている。このほか、微量要素の補給には、ホウ酸、マンガン等の塩を調合した微量要素肥料が施用されている。
【０００５】
上記の石灰質肥料または苦土質肥料に腐植酸を添加したものが提案され、市販されている。これらは通常、単独で土壌改良用ととして施用されている。（参照：特開昭５０−３８５０、特開昭５１−２７５７５、特許第３０８７９４４号）
【０００６】
前述の肥料および土壌改良資材は、その特性と土壌の要求ないし条件が合致すれば、単独での施用で、十分にその効果を発揮することができる。しかし、近年の農業従事者の減少と、高齢化の傾向により、畑の管理が不十分になりがちであるという農業環境の中、Ｎ・Ｐ・Ｋを主体とした各種肥料の多量施用、土壌中の塩類過多、有機物・苦土・微量要素の不足、酸性化など、土壌が当面する問題はさまざまであり、より適切な資材の使用が望まれている。
【０００７】
しかし、現実には、望ましい形での施肥は、必ずしも行なわれていない。たとえば石灰質肥料は、有機物と同時に施用すると作物に対しとりわけ効果があるとされているが、昨今の畜産や酪農の停滞による慢性的な農業用有機物の不足と、その取り扱いが嫌われやすいことから、石灰質肥料のみの施用に頼っているのが現状である。水酸化マグネシウムはマグネシウムの補給源であり、緩効的に土壌に作用し、その効果は長期間にわたり持続性がある。酸性の強い土壌では、石灰質肥料と併用することが望ましいが、併用は面倒である。
【０００８】
腐植酸だけの施用は、上記した諸効果すなわち有機物の補給、ＣＥＣ、保水性の増大、土壌微生物の活性化などが期待できるが、単独では化学成分（Ｎ，Ｐ，Ｋ，Ｃａ，Ｍｇ）の補給が行なわれず、十分な土壌改良には至らない。そこで、石灰質肥料、または苦土質肥料に腐植酸を混合しものが考案され、すでに市販されているが、それだけでの施用では、ホウ素、マンガン等の微量要素が不足し、十分な土壌改良には繋がらない。微量要素を補給するための微量要素肥料は、施用量が少量であるため、畑全体に均一に施肥することが難しく、土壌中で成分の偏在を生じがちであるという問題を含んでいる。
【０００９】
各種の肥料や土壌改良剤の同時施用はまた、各資材の計量や配合などの作業に伴う頻雑さが生じ、資材によっては粒子が微細で飛散しやすいものもあり、施用時に問題がある。
【００１０】
【発明が解決しようとする課題】
本発明の一般的な目的は、石灰石、ドロマイト、カキガラ、さらには腐植酸のもつ特性を生かして、それらを適切なバランスをもって組み合わせ、複雑な土壌条件にも合致できるように、石灰成分、苦土成分、微量要素、さらに腐植酸成分の割合を調整したものであって、一時に施用することができる混合石灰肥料を提供することにある。本発明の特別な目的は、この混合石灰肥料を一粒にした造粒物であって、飛散しにくく取り扱いが容易な混合石灰肥料造粒物を提供することにある。
【００１１】
【課題を解決するための手段】
本発明の一般的な目的を達成する混合石灰肥料の、第一の形態は、下記の諸成分を配合してなる混合石灰肥料である（％は重量）。
１）ドロマイトまたは石灰石：
ドロマイトの場合は２０〜４０％、石灰石の場合は３０〜５０％、
２）水酸化マグネシウム：１０〜４０％、および
３）カキガラ：１０〜６０％。
【００１２】
第二の形態は、上記に腐植酸成分を加えたものであって、下記の諸成分を配合してなる混合石灰肥料である（％は重量）。
１）ドロマイトまたは石灰石：
ドロマイトの場合は２０〜４０％、石灰石の場合は３０〜５０％、
２）水酸化マグネシウム：１０〜４０％、
３）カキガラ：１０〜４０％、および
４）腐植酸：５〜４５％。
【００１３】
【発明の実施形態】
第一および第二の形態において、各成分の配合割合を上記のように定めた理由は、つぎのとおりである。
【００１４】
ドロマイトまたは石灰石：
ドロマイトの場合は２０〜４０％、石灰石の場合は３０〜５０％
石灰は、酸性土壌の矯正に有効であり、酸性土壌の多い日本の畑地には好適な材料である。石灰肥料に水酸化マグネシウム成分を添加することにより、効果が長期にわたり、一度の施用でも栽培期間中安定して石灰成分や苦土成分を補給することができる。しかし、水酸化マグネシウムそれ自体は、肥料の原料としては高価なものである。そこで、炭酸カルシウムとともに炭酸マグネシウムを含有する鉱物である、ドロマイトの使用が推奨される。ドロマイトは、栃木県をはじめ国内で産出する資源であり、水酸化マグネシウムに比較すれば安価に入手できるから、ドロマイトを混合して、有効成分中の苦土分を補充することは、コスト面でも有利である。石灰石を使用する場合は３０〜５０％の範囲で、ドロマイトを使用する場合は、これが苦土成分の補給源をも兼ねていることから、２０〜４０％の範囲で、それぞれ配合する。
【００１５】
水酸化マグネシウム：１０〜４０％
ニガリに石灰乳を添加して沈殿させたものや、海水から製造した水酸化マグネシウムを使用する。苦土成分の補給源としてドロマイトを使用する場合、それに応じて、水酸化マグネシウムの配合量を減らすことができる。その場合の量は、１０〜３０％の範囲から選ぶことが適当である。
【００１６】
カキガラ：１０〜４０％
海産物であるカキガラには、海水中から取り込んだ臭素、マンガン、亜鉛等の微量成分が含まれ、しかもカキガラは産業廃棄物であって安価であるから、積極的に利用することが好ましい。微量要素源としては、ホウ酸塩やマンガン塩を使用すればよいが、これらは高価であるから、わざわざ市販品を使うのは不利であり、カキガラに求めることが賢明である。いうまでもなくカキガラの主成分は炭酸カルシウムであって、石灰成分の源であるが、本発明ではカキガラを、むしろ微量要素の補給源として利用する。カキガラはまた、この混合肥料を、畑に均一に撒布することを助ける。上記の効果を確実に得るためには、少なくとも１０％の配合を必要とする。一方、他の成分とのバランスから、最大４０％を上限とする。
【００１７】
腐植酸：５〜４５％
腐植酸は、石灰などのアルカリ性資材と同時に施肥すると、土壌中で溶け出して、カルシウムやマグネシウムを土中に浸透させるはたらきをする。また、土壌中の鉄やアルミナによるリン酸の固定をやわらげ、熟畑化を促進し、保肥効果を高め、土壌の急激な酸性化や塩類濃度障害を防ぐ、緩衝能を与える。これらの作用は、腐植酸のＣＥＣ（陽イオン交換容量）が大きいほど強いから、ＣＥＣが２００ｍｅｑ以上のものを使用することが好ましい。腐植酸は、石灰類と混合施肥することにより、相乗的な効果となって得られる。こうした効果を確保するには、５％以上の存在が必要であるが、他の成分とのバランスを考えると、配合量の上限は４５％である。通常好適な範囲は、１０〜３０％である。
【００１８】
本発明の混合石灰肥料において、飛散が避けられ、取り扱いが容易である造粒物は、上記した各原料を適切な割合で配合し、粉砕して混合し、圧片成形法または転動造粒法により成形し、粒径を０．５〜１０ｍｍの範囲に揃えてなるものである。
【００１９】
造粒物の中でも製造が容易で、かつ使用にも好都合なものは、バインダーを使用して、転勤造粒法により成形したものである。バインダーとしては、下記の材料から選択したものの１種または２種以上が好適である：
イースト菌発酵廃液、アミノ酸発酵廃液、パルプ廃液、カラメル製造廃液、乳酸発酵廃液、アルコール発酵廃液、および化工でんぷんの水溶液もしくは水分散液
【００２０】
これらのバインダーは、糖、各種アミノ酸（グルタミン酸、ロイシン、チミン等）、リグニン系有機物などを含有するので、施肥後、土壌微生物の繁殖に寄与し、有機物の分解を早め、さらに熟畑化を促進させるメリットがある。適切な添加量は、バインダーのもつ粘結力や、水溶液の場合は濃度などの因子によって異なるが、通常、原料配合物に対して重量で５〜２０％の範囲にある。
【００２１】
【実施例１】
１）本発明の石灰混合肥料Ａ
微粉砕したドロマイト、水酸化マグネシウムおよびカキガラ（岩手産）を、それぞれ３７％、２３％および４０％の割合で混合し、アルコール発酵廃液を混合物１００重量部に対し１５重量部となるよう混合し、転動造粒法により造粒して、粒径１．５〜５ｍｍの造粒物である本発明品の混合石灰肥料Ａを得た。
【００２２】
２）栽培試験
・試験区の設定
得られた試作肥料Ａを使った処理区と、下記の各種の土壌改良材または肥料を施用した処理区とを設け、５個の処理区を比較する栽培試験を行なった。それぞれの施用量は、つぎのとおりである。
タンカル区：炭酸カルシウム                        １５０Ｋｇ／１０ａ
カキガラ区：カキガラ                              １５０Ｋｇ／１０ａ
苦土石灰区：苦土石灰                              １５０Ｋｇ／１０ａ
複合区：水酸化マグネシウム３０％＋カキガラ７０％  １５０Ｋｇ／１０ａ
Ａ  区：試作肥料Ａ                                １５０Ｋｇ／１０ａ
【００２３】
・栽培条件
３０Ｌプランターに黒ボク土壌を詰め、元肥として普通化成肥料を、チッソ：リン酸：カリ＝１８：１８：１５（Ｋｇ／１０ａ、各処理区共通）となるように施肥し、上記土壌改良材または肥料を施用して８日間放置後、ホウレンソウを播種して４３日間栽培し、生体重を比較した。
【００２４】
0003575455.tif 000002
上記のデータは、Ａ区の生体重平均が他の３処理区より上回って、タンカル区や複合区の１００に対しＡ区１０５と、５％の増収ができたことを示している。本発明による混合石灰肥料の効果は明らかである。
【００２５】
【実施例２】
１）混合石灰肥料Ｂの製造
微粉砕したドロマイト、水酸化マグネシウム、カキガラ（岩手産）および腐植酸（ＣＥＣが３５０ｍｅｑ）を、それぞれ２０％、２５％、２５％および３０％の割合で混合し、イースト菌発酵廃液を、混合物１００重量部に対し１５重量部となるように混合し、転動造粒法により造粒して、粒径１．５〜５ｍｍの造粒物である本発明品の混合石灰肥料Ｂを得た。肥料分析法に従って分析したところ、下記のとおりであった。
0003575455.tif 000003
【００２６】
２）栽培試験
・試験区の設定
得られた試作肥料Ｂを使った処理区と、下記４種の土壌改良材または肥料をそれぞれ施用した処理区とを設け、５個の処理区を比較する栽培試験を行なった。それぞれの施用量は、つぎのとおりである。
タンカル区：炭酸カルシウム                １５０Ｋｇ／１０ａ
カキガラ区：カキガラ                      １５０Ｋｇ／１０ａ
腐植酸区：  腐植酸                  ５０Ｋｇ／１０ａ（腐植酸の適正施用量）
既存品区：  苦土石灰９０％＋腐植酸１０％  １５０Ｋｇ／１０ａ
Ｂ  区：    試作肥料Ｂ                    １５０Ｋｇ／１０ａ
【００２７】
・栽培条件
３０Ｌプランターに黒ボク土壌を詰め、元肥として普通化成肥料を、チッソ：リン酸：カリ＝１５：１８：１５（Ｋｇ／１０ａ、各処理区共通）となるように施肥し、各処理区において上記土壌改良材または肥料を下記の量施用して７日間放置後、小松菜を播種して５２日間栽培し、生体重を比較した。
【００２８】
0003575455.tif 000004
上記のデータは、Ｂ区の生体重平均が他の４処理区を上回る結果であって、これにより、本発明による混合石灰肥料の効果が確認できた。
【００２９】
【発明の効果】
本発明の混合石灰肥料は、石灰成分、苦土成分および微量要素を、対象土壌の特性に合わせて組み合わせた組成を有し、態様によってはさらに腐植酸成分をも含有するから、日本のどの地域の土壌に使用しても、十分な改良効果を上げることができる。原料にはとりたてて高価なものはなく、とくに苦土成分の補給源としてドロマイトを使用することにより、水酸化マグネシウムの使用量を少なくした態様は、コスト面できわめて有利である。市販の水酸化マグネシウムの価格と比較すると、ドロマイトの粉砕品は、一桁低い価格で入手することができるからである。各原料を配合し、粉砕して一粒に造粒したものは、施肥に当たって飛散することがなく、取り扱いが容易である。